(57)【要約】【課題】本発明は走査光学系でシェーディング補正用の現状と初期状態の白基準板を読み取った画像データでゴミ等の汚れ判定を正確に行うデジタル画像読取装置を提供する。【解決手段】ＭＦＰ１は、初期状態の白基準板３０を露光走査光学系１２で読み取った初期状態白基準データを不揮発性メモリに格納し、シェーディング補正処理部がオフの状態で、現状の白基準板３０を露光走査光学系１２で読み取った現状の白基準データと不揮発性メモリの初期状態白基準データを、露光走査光学系１２の汚れの判定データとしてホストに出力する。したがって、サービスマン等が当該出力画像データから白基準板３０の走査線上に付着したゴミや汚れの影響を一目瞭然に判別できるようにして、異常画像を発生してしまう装置状態を正確に把握できるようにすることができる。【選択図】          図１
2005094482.tif 000002
【特許請求の範囲】
【請求項１】
搬送される原稿に読取位置で光を照射してその反射光により当該原稿の画像を読み取る走査光学系と、当該原稿読取前の所定時期に所定の白基準板を読み取って当該白基準板を読み取ったときの画像データを読取白基準データとして保存して、当該保存した白基準データに基づいて前記原稿を読み取った際の画像データをシェーディング補正するシェーディング補正手段と、を備えたデジタル画像読取装置であって、初期状態の前記白基準板を前記走査光学系で読み取った初期状態白基準データを格納する不揮発性メモリと、前記シェーディング補正手段がオフの状態で、現状の前記白基準板を前記走査光学系で読み取った現状の白基準データと前記不揮発性メモリの前記初期状態白基準データを、前記走査光学系の汚れの判定データとして出力することを特徴とするデジタル画像読取装置。
【請求項２】
前記デジタル画像読取装置は、前記走査光学系の読み取った画像を縮小する縮小処理手段を備え、前記初期状態の前記白基準板を前記走査光学系で読み取った初期状態白基準データを前記縮小処理手段で縮小して前記不揮発性メモリに格納し、前記シェーディング補正手段がオフの状態で、現状の前記白基準板を前記走査光学系で読み取った前記現状の白基準データを前記縮小処理手段で縮小して、当該縮小した現状の白基準データと前記不揮発性メモリの縮小された前記初期状態白基準データを、前記走査光学系の汚れの判定データとして出力することを特徴とする請求項１記載のデジタル画像読取装置。
【請求項３】
前記デジタル画像読取装置は、所定の表示手段を備え、前記初期状態白基準データと前記現状の白基準データに基づいて、初期状態の白基準板と現状の白基準板の画像を前記表示手段に表示すること特徴とする請求項１または請求項２記載のデジタル画像読取装置。
【発明の詳細な説明】
【技術分野】
【０００１】
本発明は、デジタル画像読取装置に関し、詳細には、現状の白基準板を読み取った現状の白基準データと予め不揮発性メモリに格納されている初期状態の白基準データを走査光学系の露光走査線上のゴミ、紙粉等の付着による汚れの判定用として、出力して、汚れの判定を正確に行うデジタル画像読取装置に関する。
【背景技術】
【０００２】
オフィス等での取り扱い文書は増加の一途を辿っており、それら文書管理の効率化を図るために、白黒イメージスキャナ等のデジタル画像読取装置を用いて、紙文書を電子イメージデータとして取り込む電子ファイリングシステムのニーズが高まってきている。
【０００３】
一方、ＡＤＦ（Auto Document Fieder）を備えたカラーイメージスキャナにおいては、通紙時の原稿の擦れ等により原稿の通紙経路に紙粉等が発生し、大量に通紙を重ねていくと、紙粉等が通紙経路に蓄積したり、また、通紙時の原稿搬送や画像読取装置の動作により紙粉等が舞うことで、読取走査線上に紙粉等が付着し、異常画像を発生する。
【０００４】
このような紙粉やゴミ等（以下、紙粉等という。）が読取走査線上に付着すると、読取部で読み取った読取画像に黒スジ等の異常画像が発生するが、画像読取装置のユーザは、コンタクトガラス上に紙粉等が付着していることを確認することができず、読取画像に異常画像が現れて初めてコンタクトガラス上に紙粉等が付着していることを認識することとなる。
【０００５】
そこで、スキャナ、ファクシミリ装置、複写装置等の画像読取装置においては、従来から、一般的に、規定の通紙枚数の通紙を行うと、通紙経路のクリーニングをユーザに促す等の表示を行い、紙粉等が読取走査線上に付着することによる異常画像の発生を防止している。
【０００６】
また、本出願人は、先に、白基準板を読み取ったときの白基準データに基づいて紙粉等の付着の異常を検出して、ユーザに通知する画像読取装置を提案している（特許文献１参照）。
【０００７】
ところが、紙粉の発生頻度は、紙質/紙厚や温湿度等の使用環境にも影響され、通紙枚数に基づいて通紙経路の清掃を行うことはあまり適切ではなく、また、ユーザが通紙経路を清掃することは、逆に紙粉等の汚れを固着させてしまう可能性があるとともに、他の部分に新たな汚れを生む場合があるだけでなく、安全性の面から画像読取装置内部に入り込んだ紙粉等をユーザが分解して取り除くことはできない。
【０００８】
したがって、サービスマンが定期メンテナンスの時に清掃することになるが、メンテナンス周期の間に画像品質が悪化すると、ユーザの画像読取装置に対する印象が悪くなるという問題がある。
【０００９】
そして、紙粉等の汚れがシェーディング補正の白基準データに入り込むと、スジ状の異常画像が発生しやすくなるという問題があった。
【００１０】
そこで、従来、白基準板を読み取った白基準データをメモリに格納する場合に、当該白基準データが前回白基準板を読み取ってメモリに格納されている前白基準データとのレベル差が所定値以内の場合、メモリに格納されている前白基準データを現白基準データで書き換えてこの白基準データに基づいて原稿の画像データを補正し、レベル差が所定値以上の場合、エラーを報知するとともに、メモリに格納されている前白基準データで原稿の画像データの補正を行う画像信号補正装置が提案されている（特許文献２参照）。
【００１１】
ところが、この従来技術では、現白基準データと前白基準データとのレベル差が所定値以上ある場合に前白基準データでシェーディング補正を行っているため、当該所定値を越えない程度に徐々にゴミが付着して汚れる等の経時的にゴミ等が付着する場合には、対応することができず、改良の必要があった。
【００１２】
また、本出願人は、先に、白基準データが所定量以上変化している画素があると、ゴミ等と判断して、白基準データの当該画素を隣接画素で修正する画像読取装置（特許文献３参照）及び検出したゴミの位置の画素データを補正する画素データ補正手段とシェーディング補正で使用する白基準板の読み取りデータを補正する明データ補正手段と、検出したゴミの位置の画素データの画素幅等の予め設定された条件に応じて前記画素データ補正手段による補正処理を有効とするか無効とするかを設定する制御手段と、を備えている画像処理装置（特許文献４参照）を提案している。
【００１３】
さらに、本出願人は、先に、複数の白基準板をそれぞれ読み取って取得した複数の白データの対象画素とその周辺画素とを比較し、対象画素と周辺画素の値が大きく異なる特異点を抽出して、複数の白データの基準値において、特異点の位置が共に一致する場合にその位置を記憶し、読み取った原稿画像データに対して、上記特異点の位置では周辺画素を参照し、周辺画素の値に置き換えるシェーディング補正処理装置を提案している（特許文献５参照）。
【００１４】
【特許文献１】特開２００１−１５７０５３号公報
【特許文献２】特公平８−１５３０９号公報
【特許文献３】特開２００１−８６３３３号公報
【特許文献４】特開２０００−１１５４８８号公報
【特許文献５】特開平１１−２６１８１６号公報
【発明の開示】
【発明が解決しようとする課題】
【００１５】
しかしながら、このような従来技術にあっては、隣接画素をそのままゴミ位置の画素として白基準データを補正したり、ゴミ位置の原稿画素を周辺画素から補間演算等によりデータ算出して補正して、スジ状の異常画像の発生を防止しているため、紙粉等の汚れの状況（大きさや濃度変化量）に依存し、紙粉等の汚れに対する対応力に限界があり、画像品質を向上させる上で、改良の必要があった。
【００１６】
そこで、請求項１記載の発明は、搬送される原稿に読取位置で光を照射してその反射光により当該原稿の画像を読み取る走査光学系で、原稿読取前の所定時期に所定の白基準板を読み取って、シェーディング補正手段が、当該白基準板を読み取ったときの画像データを読取白基準データとして保存して、当該保存した白基準データに基づいて原稿を読み取った際の画像データをシェーディング補正するに際して、初期状態の白基準板を走査光学系で読み取った初期状態白基準データを不揮発性メモリに格納し、シェーディング補正手段がオフの状態で、現状の白基準板を走査光学系で読み取った現状の白基準データと不揮発性メモリの初期状態白基準データを、走査光学系の汚れの判定データとして出力することにより、サービスマン等が当該出力画像データから白基準板の走査線上に付着したゴミや汚れの影響を一目瞭然に判別できるようにして、異常画像を発生してしまう装置状態を正確に把握できるようにし、サービスマン等によるメンテナンス（通紙経路のクリーニング）が、装置外部から届く範囲のみ／装置内部の必要に応じて行うことの正確さを向上させて、不必要なメンテナンス時間の長時間化の防止及び不適切なメンテナンスによるユーザの利用性とサービスマンのメンテナンス性の効率化を向上させるデジタル画像読取装置を提供することを目的とする。
【００１７】
請求項２記載の発明は、走査光学系の読み取った画像を縮小する縮小処理手段を設け、初期状態の白基準板を走査光学系で読み取った初期状態白基準データを縮小処理手段で縮小して不揮発性メモリに格納し、シェーディング補正手段がオフの状態で、現状の白基準板を走査光学系で読み取った現状の白基準データを縮小処理手段で縮小して、当該縮小した現状の白基準データと不揮発性メモリの縮小された初期状態白基準データを、走査光学系の汚れの判定データとして出力することにより、一般的に画像処理用にデジタル画像読取装置の搭載している縮小処理手段を効率的に活用して、初期状態白基準データを縮小して不揮発性メモリに格納して、不揮発性メモリのサイズを小さくし、安価に不必要なメンテナンス時間の長時間化の防止及び不適切なメンテナンスによるユーザの利用性とサービスマンのメンテナンス性の効率化を向上させるデジタル画像読取装置を提供することを目的とする。
【００１８】
請求項３記載の発明は、初期状態白基準データと現状の白基準データに基づいて、初期状態の白基準板と現状の白基準板の画像を表示手段に表示することにより、デジタル画像読取装置単体で原稿走査上に付着したゴミや汚れの影響を確認できるようにし、装置外部へ画像データとして出力することによる付加作業を減らして、より一層メンテナンス作業を効率化させることのできるデジタル画像読取装置を提供することを目的としている。
【課題を解決するための手段】
【００１９】
請求項１記載の発明のデジタル画像読取装置は、搬送される原稿に読取位置で光を照射してその反射光により当該原稿の画像を読み取る走査光学系と、当該原稿読取前の所定時期に所定の白基準板を読み取って当該白基準板を読み取ったときの画像データを読取白基準データとして保存して、当該保存した白基準データに基づいて前記原稿を読み取った際の画像データをシェーディング補正するシェーディング補正手段と、を備えたデジタル画像読取装置であって、初期状態の前記白基準板を前記走査光学系で読み取った初期状態白基準データを格納する不揮発性メモリと、前記シェーディング補正手段がオフの状態で、現状の前記白基準板を前記走査光学系で読み取った現状の白基準データと前記不揮発性メモリの前記初期状態白基準データを、前記走査光学系の汚れの判定データとして出力することにより、上記目的を達成している。
【００２０】
この場合、例えば、請求項３に記載するように、前記デジタル画像読取装置は、前記走査光学系の読み取った画像を縮小する縮小処理手段を備え、前記初期状態の前記白基準板を前記走査光学系で読み取った初期状態白基準データを前記縮小処理手段で縮小して前記不揮発性メモリに格納し、前記シェーディング補正手段がオフの状態で、現状の前記白基準板を前記走査光学系で読み取った前記現状の白基準データを前記縮小処理手段で縮小して、当該縮小した現状の白基準データと前記不揮発性メモリの縮小された前記初期状態白基準データを、前記走査光学系の汚れの判定データとして出力するものであってもよい。
【００２１】
また、例えば、請求項４に記載するように、前記デジタル画像読取装置は、所定の表示手段を備え、前記初期状態白基準データと前記現状の白基準データに基づいて、初期状態の白基準板と現状の白基準板の画像を前記表示手段に表示するものであってもよい。
【発明の効果】
【００２２】
請求項１記載の発明のデジタル画像読取装置によれば、搬送される原稿に読取位置で光を照射してその反射光により当該原稿の画像を読み取る走査光学系で、原稿読取前の所定時期に所定の白基準板を読み取って、シェーディング補正手段が、当該白基準板を読み取ったときの画像データを読取白基準データとして保存して、当該保存した白基準データに基づいて原稿を読み取った際の画像データをシェーディング補正するに際して、初期状態の白基準板を走査光学系で読み取った初期状態白基準データを不揮発性メモリに格納し、シェーディング補正手段がオフの状態で、現状の白基準板を走査光学系で読み取った現状の白基準データと不揮発性メモリの初期状態白基準データを、走査光学系の汚れの判定データとして出力するので、サービスマン等が当該出力画像データから白基準板の走査線上に付着したゴミや汚れの影響を一目瞭然に判別できるようにして、異常画像を発生してしまう装置状態を正確に把握できるようにすることができ、サービスマン等によるメンテナンス（通紙経路のクリーニング）が、装置外部から届く範囲のみ／装置内部の必要に応じて行うことの正確さを向上させて、不必要なメンテナンス時間の長時間化を防止することができるとともに、不適切なメンテナンスによるユーザの利用性とサービスマンのメンテナンス性の効率化を向上させることができる。
【００２３】
請求項２記載の発明のデジタル画像読取装置によれば、走査光学系の読み取った画像を縮小する縮小処理手段を設け、初期状態の白基準板を走査光学系で読み取った初期状態白基準データを縮小処理手段で縮小して不揮発性メモリに格納し、シェーディング補正手段がオフの状態で、現状の白基準板を走査光学系で読み取った現状の白基準データを縮小処理手段で縮小して、当該縮小した現状の白基準データと不揮発性メモリの縮小された初期状態白基準データを、走査光学系の汚れの判定データとして出力するので、一般的に画像処理用にデジタル画像読取装置の搭載している縮小処理手段を効率的に活用して、初期状態白基準データを縮小して不揮発性メモリに格納して、不揮発性メモリのサイズを小さくすることができ、安価に不必要なメンテナンス時間の長時間化を防止することができるとともに、不適切なメンテナンスによるユーザの利用性とサービスマンのメンテナンス性の効率化を向上させることができる。
【００２４】
請求項３記載の発明のデジタル画像読取装置によれば、初期状態白基準データと現状の白基準データに基づいて、初期状態の白基準板と現状の白基準板の画像を表示手段に表示するので、デジタル画像読取装置単体で原稿走査上に付着したゴミや汚れの影響を確認することができ、装置外部へ画像データとして出力することによる付加作業を減らして、より一層メンテナンス作業を効率化させることができる。
【発明を実施するための最良の形態】
【００２５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２６】
図１〜図５は、本発明のデジタル画像読取装置の一実施例を示す図であり、図１は、本発明のデジタル画像読取装置の一実施例を適用したデジタル画像読取装置１の正面概略構成図である。
【００２７】
図１において、デジタル画像読取装置１は、本体筐体２の上部に原稿台ガラス３が設けられており、原稿台ガラス３の上部は、開閉可能にＡＤＦ（自動原稿送り装置）４が取り付けられている。このＡＤＦ４は、原稿台ガラス３上にセットたれた原稿を原稿台ガラス３に密着させるように押さえつける厚板の機能を兼ね備えている。
【００２８】
本体筐体２の内部には、図示しない第１走行体に搭載された照明ランプ５と第１ミラー６、図示しない第２走行体に搭載された第２ミラー７と第３ミラー８、レンズ９、ＣＣＤ（Charge Coupled Device ）１０及び走行体モータ１１等からなる露光走査光学系（走査光学系）１２が配設されており、ＣＣＤ（撮像デバイス）１０は、基板１３に取り付けられている。露光走査光学系１２は、第１走行体と第２走行体が走行体モータ１１により水平方向（副走査方向：図１に両矢印Ａで示す方向）に移動され、第１走行体上の照明ランプ５から原稿台ガラス３上に載置された原稿に光を照射して、当該原稿で反射された光の反射光を第１走行体上の第１ミラー６で第２走行体方向に反射し、第２走行体上の第２ミラー７及び第３ミラー８で第１走行体から入射される光を順次反射して、レンズ９方向に出射させる。レンズ９は、第２走行体から入射される光をＣＣＤ１０に集光して照射させる。ＣＣＤ１０は、１次元に複数の光電変換素子としてＣＣＤ素子が配列されており、レンズ９から入射される入射光を光電変換して、アナログの画像データ（画像信号）を出力する。
【００２９】
上記ＡＤＦ４は、原稿トレイ２１、ピックアップローラ２２、レジストローラ対２３、搬送ドラム２４、複数の搬送ローラ２５、排紙ローラ対２６、２７、搬送モータ２８及び排紙トレイ２９等を備えている。
【００３０】
ＡＤＦ４は、原稿トレイ２１に積載された原稿を、ピックアップローラ２２、レジストローラ対２３、搬送ドラム２４、搬送ローラ２５により読取位置Ｂを経て、排紙ローラ対２６、２７へ送り込み、排紙トレイ２９上に排出する。原稿は、読取位置Ｂを通過する際に、読取位置Ｂ近傍に移動されている照明ランプ５により照射され、その反射光は、第１ミラー６及び一体に構成された第２ミラー７、第３ミラー８で走査される。その後、反射光は、レンズ９により集束され、ＣＣＤ１０に照射されて光電変換される。
【００３１】
ピックアップローラ２２とレジストローラ対２３は、図示しない給紙モータにより駆動され、搬送ドラム２４、搬送ローラ２５、排紙ローラ対２６、２７は、搬送モータ２８により駆動される。
【００３２】
読取位置Ｂの近傍には、白基準板３０が設置されており、白基準板３０は、照明ランプ５のバラツキやＣＣＤ１０の画素毎の感度ムラ等が原因で、一様な濃度の原稿を読み取ったにもかかわらず、読取データがばらつく現象をシェーディング補正するために用いられる。シェーディング補正は、揮発性メモリ４５(図２参照）を用いて行ない、まず白基準板３０を原稿スキャン前に主走査方向１ライン分読み取り、この読み取った白基準データを揮発性メモリ４５に白基準データとして記憶して、原稿をスキャンした画素毎に、対応する記憶した白基準データで割り算することにより行なう。
【００３３】
デジタル画像読取装置１は、図２に示すように、ブロック構成されており、センサ４１、シェーディング補正処理部４２、変倍処理部４３、チェック処理部４４、揮発性メモリ４５、不揮発性メモリ４６、画像処理部４７、メモリコントローラ４８、メモリ４９及びＩ／Ｆコントローラ５０等を備えており、Ｉ／Ｆコントローラ５０には、パーソナルコンピュータ等のホスト１００が接続されて、当該ホスト１００には、表示手段としてのＣＲＴ（陰極線管：Cathode Ray Tube）１０１が接続されている。
【００３４】
センサ４１は、上記ＣＣＤ１０を用いたラインセンサとＡ／Ｄコンバータで構成され、ＣＣＤ１０で原稿を読み取って、濃淡の電気信号をＡ／Ｄコンバータに出力し、Ａ／Ｄコンバータが、その濃淡電気信号を、例えば、８ビットのデジタル信号に変換して出力する。
【００３５】
シェーディング補正処理部（シェーディング補正手段）４２は、走査ライン毎に上記シェーディング補正を行ない、照明ムラやＣＣＤ１０の画素毎の感度ムラに等に起因するバラツキ補正を行う。
【００３６】
すなわち、シェーディング補正処理部４２は、図３に示すように、白基準生成回路６１、シェーディング補正演算回路６２及びセレクタ６３等を備えており、センサ４１からの出力画像データが、白基準生成回路６１とシェーディング補正演算回路６２及びセレクタ６３に入力される。そして、センサ４１からの出力画像データは、ＣＣＤ１０の画素毎の感度ムラ、照明ランプ５からの光量が走査線上の中央部で一番高くなることによる照度歪みが原因で、一様な濃度の原稿を読み取ったにもかかわらずバラツキや歪みを持っている。この歪みを補正するために、均一な白表面を有する白基準板３０を読み取って、この白基準板３０を読み取ったときのＣＣＤ１０の出力するデータを、白基準生成回路６１で白基準データとして生成して揮発性メモリ４５に保存する。すなわち、例えば、図４に示すような上記主走査方向のバラツキ、歪みの具合を示すデータが揮発性メモリ４５に取り込まれる。
【００３７】
この揮発性メモリ４５は、デジタル画像読取装置１の電源がオフ（ＯＦＦ）されると、記憶したデータがクリアされるため、デジタル画像読取装置１の電源がオンされた後に、原稿をスキャンする毎に、白基準板３０のデータを読み取って、揮発性メモリ４５に蓄積している。
【００３８】
そして、シェーディング補正処理部４２は、通常の原稿読取動作時にセンサ４１から送られてくる原稿を読み取った画像データに対して、揮発性メモリ４５に保存されている画素毎に対応する白基準データを用いて、そのバラツキ、歪みをシェーディング補正演算回路６２で演算して補正し、セレクタ６３に出力する。なお、この通常の原稿読取動作時には、白基準生成回路６１は、その動作が停止している。
【００３９】
セレクタ６３は、白基準板初期状態取り込み動作時には、センサ４１からの白基準板読取画像データを選択して、変倍処理部４３に出力し、通常の原稿読取動作時には、シェーディング補正演算回路６２のシェーディング補正したデータを選択して、変倍処理部４３に出力する。また、セレクタ６３は、白基準板３０のチェック動作時には、センサ４１からの白基準板読取画像データを選択して、変倍処理部４３に出力する。この白基準板チェック動作時には、白基準生成回路６１は停止している。
【００４０】
再び、図２において、変倍処理部４３は、受け取った画像データをそのまま次段のチェック処理部４４に転送する。チェック処理部４４は、受け取った画像データ（画像データ）を画像処理部４７に転送する。
【００４１】
また、デジタル画像読取装置１は、白基準データを保存するメモリとして、不揮発性メモリ４６を備えており、不揮発性メモリ４６には、デジタル画像読取装置１の工場出荷時、すなわち、通紙経路が綺麗な初期状態で白基準板３０を読み取った白基準データが初期状態白基準データとして予め格納されている。
【００４２】
変倍処理部（縮小処理手段）４３は、ユーザが操作部等で指定した変倍率に応じて、主走査方向の拡大／縮小の変倍処理を行って、変倍処理した画像データをチェック処理部４４に出力する。
【００４３】
デジタル画像読取装置１は、主副独立の変倍処理を行なうが、主走査方向の読取密度変換についてのみ、変倍処理部４３で電気変倍により行なう。すなわち、レンズ９の絞り（集束率）及びＣＣＤ１０上の読取画素数は固定であるため、主走査方向の読取密度は一定値となり、デジタル画像読取装置１は、この主走査方向の読取密度が６００ｄｐｉになるように構成されている。
【００４４】
変倍処理部４３は、この６００ｄｐｉでの読取データに対して、ラインメモリ（図示しない）を使用した補間処理を行いながら間引き処理や２度書きを行なうことで、任意のｄｐｉに密度変換する。例えば、変倍処理部４３は、３００ｄｐｉに縮小（５０％）するには、６００ｄｐｉの読取データの隣合う画素を補間処理しながら間引き処理して、２画素から１画素に変換し、また、１２００ｄｐｉに拡大（２００％）するには、１画素を補間処理しながら２度書きすることで２画素に変換する。
【００４５】
なお、デジタル画像読取装置１は、副走査方向の読取密度変換については、機械変倍により行なう。すなわち、デジタル画像読取装置１は、走行体モータ１１及び搬送モータ２８に、ステッピングモータを使用しており、図示しないＣＰＵがこれらモータの駆動スピードを変えることによって、原稿の副走査方向の走査スピードを変化させることによって、すなわち、副走査方向の読取密度を変えることによって、密度変換する。例えば、デジタル画像読取装置１は、６００ｄｐｉでの走査スピード：λに対して、３００ｄｐｉ（５０％縮小）で読み取るには、走査スピード：２×λで走査するようにモータを駆動し、１２００ｄｐｉ（２００％拡大）で読み取るには、走査スピード：λ／２で走査するようにモータを駆動する。
【００４６】
チェック処理部４４は、通常、読取動作時には、変倍処理部４３から受け取った画像データをそのまま画像処理部４７に出力する。次に、チェック処理部４４は不揮発性メモリ４６に記憶された白基準板３０の初期状態の画像データを読み出し、画像処理部４７に送信する。
【００４７】
画像処理部４７は、ユーザの使用目的により適宜設定されるＭＴＦ（Modulation Transfer Function）や平滑化等の画像データに対する補正、固定閾値２値化、ディザ、誤差拡散等の階調数変換処理等の各種画像処理を行う。
【００４８】
すなわち、画像処理部４７は、文字処理部７０、絵柄処理部８０及び画像信号選択回路９０等を備えており、文字処理部７０は、ＭＴＦ補正回路７１と固定閾値２値化回路７２を備え、絵柄処理部８０は、平滑化回路８１とディザ処理回路８２を備えている。そして、上記変倍処理部４３からの画像データが、文字処理部７０のＭＴＦ補正回路７１及び絵柄処理部８０の平滑化回路８１にそれぞれ入力される。
【００４９】
文字処理部７０は、読取画像の文字部の視読性や再現性を向上させるために、画像がハッキリ・クッキリなるような処理を実施する。すなわち、文字処理部７０は、変倍処理部４３からの画像データがＭＴＦ補正回路７１に入力され、ＭＴＦ補正回路７１は、入力される画像データに対して、露光走査光学系１２の光学系によるボケを補正して画像データを鮮鋭化させるＭＴＦ補正処理を施して固定閾値２値化回路７２に出力する。固定閾値２値化回路７２は、ＭＴＦ補正回路７１でＭＴＦ補正処理の施された画像データに対して、２値化処理を行ってクッキリとした２値画像を生成し、画像信号選択回路９０に出力する。
【００５０】
絵柄処理部８０は、読取画像の絵柄部を階調性が豊かで滑らかな画像に再現するための処理を施す。すなわち、絵柄処理部８０は、変倍処理部４３からの画像データが平滑化回路８１に入力され、平滑化回路８１は、入力される画像データに対して、画像データからノイズを除去して滑らかにしてディザ処理回路８２に出力する。ディザ処理回路８２は、平滑化回路８１で平滑化された画像データに対して擬似中間調処理を用いた２値化処理を行うことによって、階調性豊かな２値画像を生成し、画像信号選択回路９０に出力する。
【００５１】
画像信号選択回路９０は、操作部９０でのユーザの設定した読取モードに従って図示しないＣＰＵから入力されるモード情報に基づいて動作し、文字処理部７０で２値化された文字処理画像と絵柄処理部８０でディザ処理された絵柄処理画像のいずれかを選択して、メモリコントローラ４８に出力する。
【００５２】
メモリコントローラ４８は、画像処理部４７で画像処理の施された画像データ（画像データ）をメモリ４９に蓄積するとともに、Ｉ／Ｆコントローラ５０からの要求に応じて、メモリ４９に蓄積した画像データを外部のホスト１００に転送する際のメモリ制御を行う。
【００５３】
メモリ４９は、読取スピードとビデオ転送スピード間に発生する速度差を吸収するために設けられたメモリであり、画像データを複数ページ分記憶する容量を有している。また、メモリ４９に蓄積されたデータは、メモリコントローラ４８を介して図示しないＣＰＵが読み書き可能である。
【００５４】
Ｉ／Ｆコントローラ５０は、ホスト１００とデジタル画像読取装置１の接続Ｉ／Ｆに準拠したデータ転送の制御（バスのアービトレーション）やホスト１００から送受信される各種モード設定データの制御を行う。Ｉ／Ｆコントローラ５０として、例えば、ＳＣＳＩ Ｉ／Ｆを使用する場合には、Ｉ／Ｆコントローラ５０としては、汎用のＳＣＳＩコントローラを使用する。
【００５５】
ホスト１００は、いわゆるＤＯＳ／Ｖマシン等のパーソナルコンピュータである。デジタル画像読取装置１の操作者は、パーソナルコンピュータであるホスト１００に搭載されているアプリケーションソフトを利用して、デジタル画像読取装置１の状態をチェックしたり、各種モードを設定して、所望のスキャン動作を実行し、ホスト１００にデジタル画像イメージを取り込むことができる。
【００５６】
次に、本実施例の作用を説明する。本実施例は、シェーディング補正処理をオフにしながら読み取った白基準板３０の画像データと不揮発性メモリ４６に予め格納されている工場出荷時等の白基準板３０の画像データを、走査線上のゴミや汚れを判別するためのデータとして出力する。
【００５７】
すなわち、デジタル画像読取装置１は、まず、デジタル画像読取装置１の工場出荷時に、不揮発性メモリ４６に初期状態の白基準データ（初期状態白基準データ）が格納される。すなわち、白基準板初期状態取り込み動作時には、デジタル画像読取装置１は、センサ４１からの初期状態の白基準板３０を読み取った白基準板読取画像データを、図３のシェーディング補正処理部４２のセレクタ６３に入力させ、セレクタ６３がセンサ４１から受け取った画像データを選択して、変倍処理部４３に出力する。このとき、デジタル画像読取装置１は、白基準生成回路６１を停止させている。
【００５８】
変倍処理部４３は、シェーディング補正処理部４２から受け取った画像データをそのまま次段のチェック処理部４４に転送し、チェック処理部４４は、受け取った画像データを不揮発性メモリ４６に初期状態白基準データとして記憶する。
【００５９】
この一連の動作によって、白基準板３０の初期状態の画像データが不揮発性メモリ４６に初期状態白基準データとして保存されることになる。また、本実施例では、初期状態白基準データとして、デジタル画像読取装置１の状態が最も安定した状態として、工場出荷時に白基準板３０の読み取りを行って、当該読み取った画像データを初期状態白基準データとして取り込んで、不揮発性メモリ４６に保存している。
【００６０】
デジタル画像読取装置１は、通常の白基準板３０の読取動作時には、センサ４１からの白基準板読取画像データを、図３に示すシェーディング補正処理部４２の白基準生成回路６１に入力し、白基準生成回路６１が、最初の１ライン目の画像データについては、そのまま揮発性メモリ４５に蓄積するが、２ライン目からは画素毎に揮発性メモリ４５に蓄積したデータを読み出し、その加重平均処理を行いながら、揮発性メモリに書き戻す。
【００６１】
この加重平均処理は、次式（１）に基づいて行う。
【００６２】
ＳＤｎ（ｌ）＝（Ｄｎ（ｌ）＋ＳＤｎ（ｌ−１））／２・・・（１）
個々で、Ｄｎ（ｌ）は、センサ４１から入力される白基準板読取画像データ、ＳＤｎ（ｌ−１）は、揮発性メモリ４５に蓄積された前ラインの白基準データ、ＳＤｎ（ｌ）は、新しく生成した白基準データ、ｎは、１ライン中の画素位置を示し、ｎ＝１〜７２００の値をとる。また、ｌは、ライン数を示し、ｌ＝１のとき、ＳＤｎ（１）＝Ｄｎ（１）である。
【００６３】
上述のようにして、白基準板３０を読み取って、白基準データを生成して、揮発性メモリ４５に蓄積する。このときに、シェーディング補正演算回路６２は停止している。
【００６４】
次に、通常の原稿読取動作に移行すると、デジタル画像読取装置１は、センサ４１からの原稿読取画像データを、図３のシェーディング補正処理部４２のシェーディング補正演算回路６２に入力し、シェーディング補正演算回路６２は、揮発性メモリ４５に蓄積された白基準データを用いて、センサ４１からの原稿読取画像データに対して、シェーディング補正を施して、セレクタ６３に転送する。このとき、当然ではあるが、白基準生成回路６１は停止している。
【００６５】
そして、セレクタ６３は、シェーディング補正演算回路６２から受け取ったデータを選択し、変倍処理部４３に出力し、変倍処理部４３は、必要に応じて、上述のように、主走査方向の拡大／縮小の変倍処理を行って、変倍処理した画像データをチェック処理部４４に出力する。
【００６６】
チェック処理部４４は、通常、読取動作時には、変倍処理部４３から受け取った画像データをそのまま画像処理部４７に出力し、画像処理部４７は、ユーザの使用目的により適宜設定されるＭＴＦ（Modulation Transfer Function）や平滑化等の画像データに対する補正、固定閾値２値化、ディザ、誤差拡散等の階調数変換処理等の各種画像処理を行って、メモリコントローラ４８に出力する。
【００６７】
メモリコントローラ４８は、画像処理部４７で画像処理の施された画像データをメモリ４９に蓄積するとともに、Ｉ／Ｆコントローラ５０からの要求に応じて、メモリ４９に蓄積した画像データを外部のホスト１００に転送する。
【００６８】
そして、デジタル画像読取装置１は、白基準板３０のチェック動作時には、センサ４１からの現状の白基準板３０を読み取った現状の白基準板読取画像データを、図３のシェーディング補正処理部４２のセレクタ６３に直接入力し、セレクタ６３は、センサ４１から受け取った白基準板読取画像データを選択して、変倍処理部４３に出力する。このときには、白基準生成回路６１は停止している。変倍処理部４３は、受け取った画像データをそのまま次段のチェック処理部４４に転送し、チェック処理部４４は、受け取った画像データを画像処理部４７に転送する。
【００６９】
次に、チェック処理部４４は、不揮発性メモリ４６に記憶された白基準板３０の初期状態の画像データ（初期状態白基準データ）を読み出し、画像処理部４７に送信する。
【００７０】
デジタル画像読取装置１は、この白基準板３０の現状の画像データ及び初期状態白基準データを、画像処理部４７、メモリコントローラ４８、メモリ４９、Ｉ／Ｆコントローラ５０を介して、ホスト１００に転送する。
【００７１】
ホスト１００は、この白基準板３０の現状の画像データと初期状態白基準データの２つの画像をチェックすることにより、白基準板３０の走査線上に付着したゴミや汚れの影響が一目瞭然に確認することができる。例えば、サービスマン等が通紙経路のクリーニング等のメンテナンスを行った後に、白基準板３０のチェック動作を行って、これら白基準板３０の現状の画像データと初期白基準板データをチェックすることにより、白基準板３０の走査線上に付着したゴミや汚れがうまく除去できたかを確認することができる。このチェックで、クリーニング後においても汚れ等が認められる場合は、クリーニングした範囲以外にまだゴミ等が入り込んでいるものとして、デジタル画像読取装置１の装置内部のクリーニングをも実施する。
【００７２】
このように、本実施例のデジタル画像読取装置１は、搬送される原稿に読取位置で光を照射してその反射光により当該原稿の画像を読み取る露光走査光学系（走査光学系）１２で、原稿読取前の所定時期に所定の白基準板３０を読み取って、シェーディング補正処理部４２が、当該白基準板３０を読み取ったときの画像データを読取白基準データとして揮発性メモリ４５に保存して、当該保存した白基準データに基づいて原稿を読み取った際の画像データをシェーディング補正するに際して、初期状態の白基準板３０を露光走査光学系１２で読み取った初期状態白基準データを不揮発性メモリ４６に格納し、シェーディング補正処理部４２がオフの状態で、現状の白基準板３０を露光走査光学系１２で読み取った現状の白基準データと不揮発性メモリ４６の初期状態白基準データを、露光走査光学系１２の汚れの判定データとしてホスト１００に出力している。
【００７３】
したがって、サービスマン等が当該出力画像データから白基準板３０の走査線上に付着したゴミや汚れの影響を一目瞭然に判別できるようにして、異常画像を発生してしまう装置状態を正確に把握できるようにすることができ、サービスマン等によるメンテナンス（通紙経路のクリーニング）が、装置外部から届く範囲のみ／装置内部の必要に応じて行うことの正確さを向上させて、不必要なメンテナンス時間の長時間化を防止することができるとともに、不適切なメンテナンスによるユーザの利用性とサービスマンのメンテナンス性の効率化を向上させることができる。
【００７４】
なお、白基準板３０のチェック動作処理において、上記処理では、画像データを等倍で処理しているが、縮小処理して、白基準板３０の走査線上に付着したゴミや汚れの影響を確認するようにしてもよい。
【００７５】
この場合、デジタル画像読取装置１の工場出荷時に、不揮発性メモリ４６に白基準板３０の初期状態の白基準データ（初期状態白基準データ）が格納されるが、この初期状態白基準データを以下のようにして不揮発性メモリ４６に格納する。すなわち、白基準板初期状態取り込み動作時には、まず、上記同様に、デジタル画像読取装置１は、センサ４１からの白基準板読取画像データを、図３のシェーディング補正処理部４２のセレクタ６３に入力させ、セレクタ６３がセンサ４１から受け取った画像データを選択して、変倍処理部４３に出力する。このとき、デジタル画像読取装置１は、白基準生成回路６１を停止させている。
【００７６】
白基準板初期状態取り込み動作時には、デジタル画像読取装置１は、センサ４１からの初期状態の白基準板３０を読み取った白基準板読取画像データを、図３のシェーディング補正処理部４２のセレクタ６３に入力させ、セレクタ６３がセンサ４１から受け取った画像データを選択して、変倍処理部４３に出力する。このとき、デジタル画像読取装置１は、白基準生成回路６１を停止させている。
【００７７】
この変倍処理部４３に入力される１ライン当たりのデータ量は、「８ｂｉｔ／画素」のデータが「７２００画素」となっている。変倍処理部４３は、受け取ったデータを５０％縮小して、次段のチェック処理部４４に転送する。このとき、１ライン当たりのデータ量は、「８ｂｉｔ／画素」のデータが「３６００画素」になっている。
【００７８】
チェック処理部４４は、受け取った画像データを縮小初期状態白基準データとして不揮発性メモリ４６に記憶する。
【００７９】
この一連の動作によって、白基準板３０の初期状態の画像データが不揮発性メモリ４６に縮小初期状態白基準データとして保存されることになる。
【００８０】
次に、白基準板３０のチェック動作時には、センサ４１からの現状の白基準板３０を読み取った白基準板読取画像データを、図３のシェーディング補正処理部４２のセレクタ６３に直接入力し、セレクタ６３は、センサ４１から受け取った白基準板読取画像データを選択して、変倍処理部４３に出力する。このときには、白基準生成回路６１は停止している。このとき、１ライン当たりのデータ量は、「８ｂｉｔ／画素」のデータが「７２００画素」となっている。
【００８１】
変倍処理部４３は、受け取った画像データを５０％縮小して、次段のチェック処理部４４に転送し、チェック処理部４４は、受け取った画像データを画像処理部４７に転送する。
【００８２】
次に、チェック処理部４４は、不揮発性メモリ４６に記憶された白基準板３０の５０％縮小されている初期状態の画像データ（初期状態白基準データ）を読み出し、画像処理部４７に送信する。
【００８３】
デジタル画像読取装置１は、この５０％縮小されている白基準板３０の現状の画像データ及び縮小初期状態白基準データを、画像処理部４７、メモリコントローラ４８、メモリ４９、Ｉ／Ｆコントローラ５０を介して、ホスト１００に転送する。
【００８４】
ホスト１００は、この５０％縮小された白基準板３０の現状の画像データと初期状態白基準データの２つの画像をチェックすることにより、白基準板３０の走査線上に付着したゴミや汚れの影響が一目瞭然に確認することができる。
【００８５】
このようにすると、一般的に画像処理用にデジタル画像読取装置であるデジタル画像読取装置１の搭載している縮小処理手段である変倍処理部４３を効率的に活用して、初期状態白基準データを縮小して不揮発性メモリ４６に格納して、不揮発性メモリ４６のサイズを小さくすることができ、安価に不必要なメンテナンス時間の長時間化を防止することができるとともに、不適切なメンテナンスによるユーザの利用性とサービスマンのメンテナンス性の効率化を向上させることができる。
【００８６】
また、本実施例のデジタル画像読取装置１は、図５に示すように、操作部１１０を備えていて、当該操作部１１０のディスプレイ１１１に白基準板３０の現状の画像と初期状態の画像を表示するようにしてもよい。
【００８７】
すなわち、デジタル画像読取装置１は、例えば、図５に示すような操作部１１０を備えており、操作部１１０には、ディスプレイ１１１、電源スイッチ１１２、スタートキー１１３、エンターキー１１４及びスクロールキー１１５等の各種操作キーが設けられている。
【００８８】
そして、デジタル画像読取装置１は、図示しないＣＰＵの制御下で、上記白基準板３０の現状の画像データと初期白基準板データに基づいて、白基準板３０の現状の画像と初期状態の白基準板３０の画像を操作部１１０のディスプレイ１１１に表示させる。このとき、現状の白基準板３０にゴミや汚れ等があるときには、図５に汚れＰｇとして示すように、白基準板３０の現状の画像に当該汚れＰｇを表示する。
【００８９】
このようにすると、デジタル画像読取装置であるデジタル画像読取装置１単体で原稿走査上に付着したゴミや汚れの影響を確認することができ、装置外部へ画像データとして出力することによる付加作業を減らして、より一層メンテナンス作業を効率化させることができる。
【００９０】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９１】
デジタルスキャナ装置、デジタル複写装置、デジタルファクシミリ装置、ＭＦＰ等の白基準板に基づいてシェーディング補正するデジタル画像読取装置に適用することができる。
【図面の簡単な説明】
【００９２】
【図１】本発明のデジタル画像読取装置の一実施例を適用したデジタル画像読取装置の要部概略構成正面図。
【図２】図１のデジタル画像読取装置の要部回路ブロック構成図。
【図３】図２のデジタル複写装置画像読取装置のシェーディング補正処理部の詳細な回路ブロック構成図。
【図４】図１のデジタル画像読取装置の白基準データの一例を示す図。
【図５】図１のデジタル画像読取装置によるディスプレイへ白基準板の現状の画像と初期状態の画像を表示している状態の操作部の平面図。
【符号の説明】
【００９３】
１  デジタル画像読取装置
２  本体筐体
３  原稿台ガラス
４  ＡＤＦ
５  照明ランプ
６  第１ミラー
７  第２ミラー
８  第３ミラー
９  レンズ
１０  ＣＣＤ
１１  走行体モータ
１２  露光走査光学系
１３  基板
２１  原稿トレイ
２２  ピックアップローラ
２３  レジストローラ対
２４  搬送ドラム
２５  搬送ローラ
２６、２７  排紙ローラ対
２８  搬送モータ
２９  排紙トレイ
３０  白基準板
４１  センサ
４２  シェーディング補正処理部
４３  変倍処理部
４４  チェック処理部
４５  揮発性メモリ
４６  不揮発性メモリ
４７  画像処理部
４８  メモリコントローラ
４９  メモリ
５０  Ｉ／Ｆコントローラ
６１  白基準生成回路
６２  シェーディング補正演算回路
６３  セレクタ
７０  文字処理部
７１  ＭＴＦ補正回路
７２  固定閾値２値化回路
８０  絵柄処理部
８１  平滑化回路
８２  ディザ処理回路
９０  画像信号選択回路
１００  ホスト
１０１  ＣＲＴ
１１０  操作部
１１１  ディスプレイ
１１２  電源スイッチ
１１３  スタートキー
１１４  エンターキー
１１５  スクロールキー
【図１】
2005094482.tif 000003
【図２】
2005094482.tif 000004
【図３】
2005094482.tif 000005
【図４】
2005094482.tif 000006
【図５】
2005094482.tif 000007